(57)【特許請求の範囲】
【請求項１】
他の釣り用具と連係する釣り用具であって、該釣り用具は伸縮性材料で前記他の釣り用具に巻回止着される平帯状の取付部を有し、該平帯状の取付部は幅方向断面形状を湾曲状に形成したことを特徴とする釣り用具。
【発明の詳細な説明】
【０００１】
【発明の属する技術分野】
この発明は、釣竿等の他の釣り用具に巻回止着される平帯状の取付部を有する釣り用具に関する。
【０００２】
【従来の技術】
従来、釣竿の竿先を保護するために装着される保護カバ−には、図２６、図２７のようにゴム製のバンド８が取り付けられてこのゴムバンド８が保護カバ−９と保護カバ−に挿入された釣竿４に巻回されて止着されている。
ゴムバンド８はストレ−トの平帯状の取付部８ａ保護カバ−９の後側に取り付けられる台部８ｂとで形成されているので、平帯状の取付部が保護カバ−の後側と釣竿に巻回止着されると、平帯状の取付部の端部が外側に返ってしまい、ゴムバンドが外れ易く、竿ケ−スや袋に入れる時に返り部が邪魔になって入れ辛く、見た目も悪い等の欠点があった。
【０００３】
【発明が解決しようとする課題】
解決しようとする問題点は、ストレ−トの平帯状の取付部は釣竿に巻回止着されると、平帯状の取付部の端部が外側に返ってしまい、ゴムバンドが外れ易く、竿ケ−スや袋に入れる時に返り部が邪魔になって入れ辛く、見た目も悪いことである。
【０００４】
本発明の目的は前記欠点に鑑み、外側に返りが出来ないようにして外れ難く、竿ケ−スや袋に入れ易い釣り用具を提供することである。
【０００５】
【課題を解決するための手段】
上記課題を解決するために、本発明は、他の釣り用具と連係する釣り用具であって、該釣り用具は伸縮性材料で前記他の釣り用具に巻回止着される平帯状の取付部を有し、該平帯状の取付部は幅方向断面形状を湾曲状に形成したことである。
【０００６】
【発明の実施の形態】
本発明は、釣り用具１が釣竿からなる他の釣り用具４の竿先に取り付けられる時は、釣り用具１のカバ−本体部分２内に挿入され、釣り用具１のバンド部分３が巻回されて透孔３ｅの一つが係合ピン５に係合されることで止着される。
バンド部分３が巻回されて止着されると、平帯状の取付部３ａは幅方向断面形状が湾曲状に成形されて形成されているので、バンド部分３の端部はカバ−本体部分２側に湾曲することになる。
【０００７】
【実施例】
以下、本発明の実施例を図面に基づき説明すると、図１から図１５は第１実施例で、図１は実施状態の釣り用具の拡大要部断面背面図、図２は釣り用具の要部断面背面図、図３は釣り用具のバンド部分の斜視図、図４は釣り用具の平面図、図５は釣り用具の裏面図、図６は釣り用具のカバ−本体部分の平面図、図７は釣り用具のカバ−本体部分の一部断面平面図、図８は釣り用具のカバ−本体部分の断面側面図、図９は釣り用具のカバ−本体部分の裏面図、図１０は釣り用具のカバ−本体部分の一部断面背面図、図１１は釣り用具のカバ−本体部分の正面図、図１２は釣り用具のバンド部分の平面図、図１３は釣り用具のバンド部分の側面図、図１４は釣り用具のバンド部分の断面側面図、図１５は釣り用具のバンド部分の正面図である。
【０００８】
第１実施例の釣り用具１は、カバ−本体部分２とバンド部分３が組み合わせられて構成され、釣竿からなる他の釣り用具４の竿先がカバ−本体部分２内に挿入されてバンド部分３が巻回止着されている。
【０００９】
釣り用具１のカバ−本体部分２は、合成樹脂材で袋状のカバ−部２ａと舌片状の取付部２ｂが一体に形成されている。
カバ−部２ａ内の後側下方には釣竿からなる他の釣り用具４の太径部が度当りする度当り部２ｃが形成されている。
舌片状の取付部２ｂはＵ字状に形成されて軸線方向に長い角孔２ｄが形成され、舌片状の取付部２ｂの裏面の角孔２ｄの一側に台部２ｅが形成されて台部２ｅに係合ピン５が植設されている。
係合ピン５は頭部５ａと小径部５ｂで形成されている。
【００１０】
釣り用具１のバンド部分３は、伸縮性材料で平帯状の取付部３ａと連結部３ｂと取付台部３ｃが一体に形成されている。
平帯状の取付部３ａは幅方向断面形状が湾曲状に成形されて形成されている。
湾曲された両端はスカ−ト部３ｄとする。
連結部３ｂは平帯状の取付部３ａの一側に起立状に形成されている。
取付台部３ｃはＵ字状に形成されている。
平帯状の取付部３ａには複数の透孔３ｅが穿設されている。
【００１１】
釣り用具１のカバ−本体部分２と釣り用具１のバンド部分３が組み合わせられる時は、カバ−本体部分２の長い角孔２ｄに表面側からバンド部分３の平帯状の取付部３ａが裏面に向けて挿入されて図１、図２、図４から図５のように連結部３ｂが角孔２ｄに挿入されることで取り付けられる。
カバ−本体部分２とバンド部分３が組み合わせられると、取付台部３ｃはＵ字状の舌片状の取付部２ｂに嵌まることになる。
【００１２】
釣り用具１が釣竿からなる他の釣り用具４の竿先に取り付けられる時は、図１、図８のようにカバ−本体部分２内に挿入され、バンド部分３が巻回されて透孔３ｅの一つが係合ピン５に係合されることで止着される。
バンド部分３が巻回されて止着されると、平帯状の取付部３ａは幅方向断面形状が湾曲状に成形されて形成されているので、図１のように端部はカバ−本体部分２側に湾曲することになる。
【００１３】
前記のように釣り用具が構成されると、バンド部分３の平帯状の取付部３ａは幅方向断面形状が湾曲状に成形されて形成されているので、端部はカバ−本体部分２側に湾曲することになり、外側に返り部が出来ず、外れ難く、竿ケ−スや袋に入れ易くなり、見た目も良くなる。
【００１４】
図１６、図１７は第２実施例で、図１６は釣り用具のバンド部分の平面図、図１７は釣り用具のバンド部分の正面図である。
【００１５】
第２実施例は第１実施例の変形例で、釣り用具１のバンド部分３′は、伸縮性材料で平帯状の取付部３ａと連結部３ｂと取付台部３ｃが一体に形成されている。
平帯状の取付部３ａは幅方向断面形状が湾曲状に折曲成形されて形成されている。
湾曲状に折曲成形された両端はスカ−ト部３ｆとする。
他の構成は前記第１実施例と略同一である。
【００１６】
図１８から図２３は第３実施例で、図１８は複数本の釣竿からなる他の釣り用具が束ねられて釣り用具で止着された斜視図と一部拡大斜視図、図１９は複数本の釣竿からなる他の釣り用具と釣り用具の断面背面図、図２０は釣り用具の平面図、図２１は釣り用具の側面図、図２２は釣り用具の断面側面図、図２３は釣り用具の正面図である。
【００１７】
第３実施例では、複数本の釣竿からなる他の釣り用具４が束ねられてバンド状の釣り用具６で巻回止着されている。
【００１８】
釣り用具６は伸縮性材料で平帯状の取付部６ａと係合ピン台部６ｂが一体に形成されている。
平帯状の取付部６ａは幅方向断面形状が湾曲状に成形されて形成されている。
湾曲された両端はスカ−ト部６ｃとする。
平帯状の取付部６ａには複数の透孔６ｄが穿設されている。
係合ピン台部６ｂに係合ピン５が植設されている。
係合ピン５は頭部５ａと小径部５ｂで形成されている。
【００１９】
釣り用具６で複数本の釣竿からなる他の釣り用具４が束ねられて巻回止着されている時は、平帯状の取付部６ａが巻回されて透孔６ｄの一つが係合ピン５に係合されることで止着される。
平帯状の取付部６ａが巻回されて止着されると、平帯状の取付部６ａは幅方向断面形状が湾曲状に成形されて形成されているので、図１９のように端部は釣竿からなる他の釣り用具４側に湾曲することになる。
【００２０】
第３実施例のように釣り用具が構成されると、平帯状の取付部６ａは幅方向断面形状が湾曲状に成形されて形成されているので、端部は他の釣り用具４側に湾曲することになり、外側に返り部が出来ず、外れ難く、竿ケ−スや袋に入れ易くなり、見た目も良くなる。
【００２１】
図２４、図２５は第３実施例の展開例で、図２４は釣竿からなる他の釣り用具にリ−ルからなる他の釣り用具が釣り用具で止着された側面図と一部拡大側面図、図２５は釣竿からなる他の釣り用具にリ−ルからなる他の釣り用具が釣り用具で止着された断面背面図である。
【００２２】
第３実施例の展開例では、釣竿からなる他の釣り用具４にリ−ルからなる他の釣り用具７が釣り用具６で取り付けられている。
【００２３】
釣竿からなる他の釣り用具４にリ−ルからなる他の釣り用具７が釣り用具６で取り付けられている時は、釣竿からなる他の釣り用具４の外周にリ−ルからなる他の釣り用具７の脚部７ａが載せられて釣り用具６の平帯状の取付部６ａが巻回されて平帯状の取付部６ａの透孔６ｄの一つが係合ピン５に係合されることで止着される。
平帯状の取付部６ａが巻回されて止着されると、平帯状の取付部６ａは幅方向断面形状が湾曲状に成形されて形成されているので、図２５のように端部は釣竿からなる他の釣り用具４側に湾曲することになる。
他の構成を前記第３実施例と略同一である。
【００２４】
【発明の効果】
本発明は、以上説明したような形態で実施され、以下に記載されるような効果を奏する。
【００２５】
釣り用具の平帯状の取付部は幅方向断面形状が湾曲状に成形されて形成されているので、端部は他の釣り用具側に湾曲することになり、外側に返り部が出来ず、外れ難く、竿ケ−スや袋に入れ易くなり、見た目も良くなる。
【図面の簡単な説明】
【図１】第１実施例で、実施状態の釣り用具の拡大要部断面背面図である。
【図２】同釣り用具の要部断面背面図である。
【図３】同釣り用具のバンド部分の斜視図である。
【図４】同釣り用具の平面図である。
【図５】同釣り用具の裏面図である。
【図６】同釣り用具のカバ−本体部分の平面図である。
【図７】同釣り用具のカバ−本体部分の一部断面平面図である。
【図８】同釣り用具のカバ−本体部分の断面側面図である。
【図９】同釣り用具のカバ−本体部分の裏面図である。
【図１０】同釣り用具のカバ−本体部分の一部断面背面図である。
【図１１】同釣り用具のカバ−本体部分の正面図である。
【図１２】同釣り用具のバンド部分の平面図である。
【図１３】同釣り用具のバンド部分の側面図である。
【図１４】同釣り用具のバンド部分の断面側面図である。
【図１５】同釣り用具のバンド部分の正面図である。
【図１６】第２実施例で、釣り用具のバンド部分の平面図である。
【図１７】同釣り用具のバンド部分の正面図である。
【図１８】第３実施例で、複数本の釣竿からなる他の釣り用具が束ねられて釣り用具で止着された斜視図と一部拡大斜視図である。
【図１９】同複数本の釣竿からなる他の釣り用具と釣り用具の断面背面図である。
【図２０】同釣り用具の平面図である。
【図２１】同釣り用具の側面図である。
【図２２】同釣り用具の断面側面図である。
【図２３】同釣り用具の正面図である。
【図２４】第３実施例の展開例で、釣竿からなる他の釣り用具にリ−ルからなる他の釣り用具が釣り用具で止着された側面図と一部拡大側面図である。
【図２５】同釣竿からなる他の釣り用具にリ−ルからなる他の釣り用具が釣り用具で止着された断面背面図である。
【図２６】従来の実施状態の釣り用具の拡大要部断面背面図である。
【図２７】同釣り用具の要部断面背面図である。
【符号の説明】
１、２、３、６  釣り用具
４、７  他の釣り用具
３ａ、６ａ  幅方向断面形状が湾曲状に成形された平帯状の取付部
【図１】
0003623629.tif 000002
【図２】
0003623629.tif 000003
【図３】
0003623629.tif 000004
【図４】
0003623629.tif 000005
【図５】
0003623629.tif 000006
【図６】
0003623629.tif 000007
【図７】
0003623629.tif 000008
【図８】
0003623629.tif 000009
【図９】
0003623629.tif 000010
【図１０】
0003623629.tif 000011
【図１１】
0003623629.tif 000012
【図１２】
0003623629.tif 000013
【図１３】
0003623629.tif 000014
【図１４】
0003623629.tif 000015
【図１５】
0003623629.tif 000016
【図１６】
0003623629.tif 000017
【図１７】
0003623629.tif 000018
【図１８】
0003623629.tif 000019
【図１９】
0003623629.tif 000020
【図２０】
0003623629.tif 000021
【図２１】
0003623629.tif 000022
【図２２】
0003623629.tif 000023
【図２３】
0003623629.tif 000024
【図２４】
0003623629.tif 000025
【図２５】
0003623629.tif 000026
【図２６】
0003623629.tif 000027
【図２７】
0003623629.tif 000028